(57)【要約】【課題】熱圧着に起因した不具合を解消することができる脱臭シートの製造方法を提供する。【解決手段】タンク１２に収容された消臭・脱臭剤２１とバインダー２２とからなる散布剤１３を基材シート１１上に均一に散布し、基材シート１１上に散布されたバインダー２２を加熱ヒーター４１で加熱して溶融する。溶融状態のバインダー２２によって消臭・脱臭剤２１が固着された基材シート１１上に被覆シート３１を重ねて積層し、バインダー２２及び消臭・脱臭剤２１を挟んだ基材シート１１と被覆シート３１とを圧着ローラ５１で圧着する。これにより、基材シート１１と被覆シート３１間に、バインダー２２によって消臭・脱臭剤２１が挟まれた状態で坦持された脱臭シート１を形成する。【選択図】        図１
2009000213.tif 000002
【特許請求の範囲】
【請求項１】
基材シートにバインダーと消臭・脱臭剤とを散布した後に、加熱ヒーターで加熱して前記バインダーを溶融するとともに、この基材シートに被覆シートを積層し、前記バインダー及び前記消臭・脱臭剤を挟んだ前記被覆シートと前記基材シートとを圧着することを特徴とした脱臭シートの製造方法。
【請求項２】
前記被覆シートが機能性薬剤が含浸されたシートであることを特徴とした請求項１記載の脱臭シートの製造方法。
【発明の詳細な説明】
【技術分野】
【０００１】
本発明は、消臭・脱臭剤を坦持した脱臭シートの製造方法に関する。
【背景技術】
【０００２】
従来、消臭剤を坦持した脱臭シートが用いられており、この脱臭シートを製造する際には、図４に示す手順の製造方法が知られている（例えば、特許文献１）。
【０００３】
この脱臭シートを製造する際には、基材シート８０１の一面に、熱可塑性のバインダーと消臭剤とが混合された混合剤８０２を散布する。そして、この混合剤８０２が散布された前記基材シート８０１の一面を被覆シート８０３で覆うとともに、前記基材シート８０１上に前記被覆シート８０３が積層された状態でローラ８０４，８０４で熱圧着で接合して脱臭シート８０５を形成していた。
【特許文献１】特開昭６１−１１９２６９号公報
【発明の開示】
【発明が解決しようとする課題】
【０００４】
しかしながら、このような従来の脱臭シート８０５の製造方法にあっては、前記基材シート８０１と前記被覆シート８０３の両者を耐熱性の素材で構成しなければならず、素材の選択幅が制限されるという問題があった。
【０００５】
また、熱圧着する際には、高い熱を加える必要があり、前記基材シート８０１及び前記被覆シート８０３には、より高い耐熱性が要求される。
【０００６】
さらに、熱圧着する際には、各シート８０１，８０３が樹脂化する恐れがある。この場合、風合いが損なわれたり、通気性が悪化する恐れがあった。
【０００７】
また、脱臭シートに防虫機能や芳香機能等の他の機能を併せ持った脱臭シートとする場合、予め基材シート又は被覆シートに防虫剤や香料等の機能性薬剤を含浸させると、熱圧着の際に薬剤が揮散、変質、分解等してしまう虞があり、有効に機能を発揮することができない。また、脱臭シートに加工した後、機能性薬剤を含浸させることは、機能性薬剤が脱臭消臭剤に吸着されてしまい、機能性薬剤が無駄になり機能性薬剤が十分に機能しないばかりか、消臭脱臭剤の消臭脱臭機能も有効に機能しなくなってしまうといった問題も生ずる。
【０００８】
本発明は、このような従来の課題に鑑みてなされたものであり、熱圧着に起因した不具合を解消することができる脱臭シートの製造方法を提供することを目的とするものである。
【課題を解決するための手段】
【０００９】
前記課題を解決するために本発明の脱臭シートの製造方法にあっては、基材シートにバインダーと消臭・脱臭剤とを散布した後に、加熱ヒーターで加熱して前記バインダーを溶融するとともに、この基材シートに被覆シートを積層し、前記バインダー及び前記消臭・脱臭剤を挟んだ前記被覆シートと前記基材シートとを圧着する。
【００１０】
すなわち、脱臭シートを製造する際には、基材シートにバインダーと消臭・脱臭剤とを散布した後、前記バインダーと前記消臭・脱臭剤とが散布された前記基材シートを加熱ヒータで加熱することで、前記基剤シート上の前記バインダーを溶融する。
【００１１】
次に、このバインダーが溶融された前記基材シートに被覆シートを積層することで、溶融したバインダーに含まれた前記消臭・脱臭剤を、前記基材シートと前記被覆シートとの間に挟み込む。そして、この挟み込まれた状態において、前記被覆シートと前記基材シートとを圧着する。
【００１２】
これにより、前記消臭・脱臭剤が前記バインダーによって前記基材シートと前記被覆シートとの間に挟まれて構成された脱臭シートが形成される。
【００１３】
このとき、前記基材シートは、前記加熱ヒータによって前記バインダーが溶融するまで加熱されるが、当該基材シートに積層される前記被覆シートは、圧着によって前記基材シートに接合される。このため、前記被覆シートは、耐熱性の素材で構成する必要がない。
【００１４】
そして、前記基材シート及び前記被覆シートは、溶融されたバインダーによって接合される。このため、両シートを熱圧着する場合のように、各シートが樹脂化する恐れも無い。
【００１５】
また、請求項２の脱臭シートの製造方法においては、前記被覆シートが機能性薬剤が含浸されたシートである。
【００１６】
すなわち、前記被覆シートとして、防虫剤や香料等の機能性薬剤が予め含浸されたシートを用いることによって、製造工程中で機能性薬剤が揮散、分解、変質してしまう虞がなく、また、消臭脱臭薬剤の消臭脱臭機能を損なうことなく、防虫機能や芳香機能等、他の機能を併せ持った脱臭シートを製造することができる。
【発明の効果】
【００１７】
以上説明したように本発明の脱臭シートの製造方法にあっては、被覆シートを圧着によって基材シートに接合するため、当該被覆シートを、耐熱性の素材で構成する必要が無い。
【００１８】
このため、基材シートと被覆シートとを熱圧着する製法上、両シートを高い耐熱性を有する素材で構成しなければならなかった従来と比較して、素材の選択幅を広げることができる。
【００１９】
また、前記基材シート及び前記被覆シートを、溶融されたバインダーによって接合するため、両シートを熱圧着する場合と比較して、接合時でのシートの樹脂化を防止することができる。これにより、シートの風合いを維持することができ、品質を高めることができる。
【００２０】
さらに、接合時にシートが樹脂化する従来と比較して、シートの目詰まりを防止することができ、通気性を確保することができる。これにより、坦持された消臭・脱臭剤による脱臭効果を十分に発揮することができる。
【００２１】
このように、本発明の脱臭シートの製造方法では、前記基材シートと前記被覆シートとの熱圧着を廃止することができ、この熱圧着に起因して発生し得る不具合を解消することができる。
【００２２】
そして、請求項２の脱臭シートの製造方法においては、製造過程にて加熱されない被覆シートとして、防虫剤や香料等の機能性薬剤が予め含浸されたシートを用いることにより、製造工程中において、熱に起因した機能性薬剤の揮散や分解や変質を防止することができる。
【００２３】
また、消臭脱臭薬剤の消臭脱臭機能を損なうことなく、防虫機能や芳香機能等、他の機能を併せ持った脱臭シートを製造することができる。
【発明を実施するための最良の形態】
【００２４】
以下、本発明の一の実施の形態を図に従って説明する。図１は、本実施の形態にかかる脱臭シート１の製造方法を示す説明図である。
【００２５】
すなわち、この脱臭シート１を製造する際には、散布工程Ｓ１において、ロール状に巻き取られた基材シート１１を引き出すとともに、当該基材シート１１を一定速度で下流に送りつつ、タンク１２に収容された散布剤１３を、前記基材シート１１上の全域又は任意の場所（例えば筋状）に散布する。
【００２６】
ここで、前記散布剤１３は、図２に示すように、前記脱臭シート１に坦持される消臭・脱臭剤２１，・・・と、バインダー２２とが予め混合さた混合剤によって構成されている。
【００２７】
前記基材シート１１は、通気性を有する紙、織布、不織布等であり、不織布等を構成する繊維の材質としては、耐熱温度が前記バインダー２２の溶融温度より高い温度を有する繊維を使用する必要がある。具体的には、ポリエチレン、ポリプロピレン、ポリエステル、ポリアミド、アクリル酸、レーヨン、パルプ等の一種若しくは二種以上を混合して用いることができるが、これらの内、耐熱温度が高いポリエステル、ポリアミド、レーヨン、パルプ等を用いることが好ましい。
【００２８】
この基材シート１１の製造方法としては、従来公知の不織布の製造方法、例えば、スパンボンド、ウォーターニードル、エアレイド、ウェットレイド等の方法により製造することができる。
【００２９】
前記バインダー２２は、前記基材シート１１と前記消臭・脱臭剤２１，・・・又は被覆シート３１を接着することができれば特に限定されないが、本実施の形態では、熱可塑性のバインダー２２を用いる。このようなバインダー２２としては、エチレン−ビニルアセテート、直鎖低密度ポリエチレンポリエステル、ナイロン等が挙げられ、これらの一種若しくは二種以上を混合して用いることができる。
【００３０】
また、前記消臭・脱臭剤２１，・・・としては、従来公知の消臭・脱臭剤を用いることができる。具体的には、活性炭、アルミノケイ酸亜鉛、光触媒酸化チタン、シリカゲル、活性アルミナ、ゼオライト、セラミックが挙げられ、これらの一種若しくは二種以上を混合して用いることができる。
【００３１】
そして、図１に示したように、バインダー溶融工程Ｓ２において、前記散布剤１３が散布された前記基材シート１１を、一定速度で加熱ヒーター４１内を通過させ、当該加熱ヒーター４１の熱によって熱可塑性の前記バインダー２２を加熱して溶融する。これにより、図２に示したように、前記基材シート１１上に散布された粒状の消臭・脱臭剤２１，・・・を、溶融したバインダー２２によって前記基材シート１１に貼着する。
【００３２】
次に、図１に示したように、被覆シート積層工程Ｓ３において、ロール状に巻き取られた前記被覆シート３１を引き出し、溶融状態のバインダー２２によって前記消臭・脱臭剤２１，・・・が固着された前記基材シート１１上に当該被覆シート３１を重ねて積層する。
【００３３】
前記被覆シート３１は、通気性を有する紙、織布、不織布等であり、不織布等を構成する繊維の材質としては、ポリエチレン、ポリプロピレン、ポリエステル、ポリアミド、アクリル酸、レーヨン、パルプ等の一種若しくは二種以上を混合して用いることができる。
【００３４】
この被覆シート３１の製造方法としては、前記基材シート１１の製造方法と同様、従来公知の不織布の製造方法、例えば、スパンボンド、ウォーターニードル、エアレイド、ウェットレイド等の方法により製造することができる。
【００３５】
また、前記被覆シート３１には、他の機能性薬剤を含浸させることができる。他の機能性薬剤としては、例えば、防虫剤、殺虫剤、香料、防カビ剤、抗菌剤、他の消臭剤等の一種若しくは二種以上を混合して用いることができる。
【００３６】
前記防虫剤、殺虫剤としては、パラジクロロベンゼン、ナフタリン、樟脳やピレトリン、アレスリン、レスメトリン、フタルスリン、フラメトリン、フェノトリン、シフェノトリン、プラレトリン、ペルメトリン、シペルメトリン、デカメスリン、フェンバレート、シフルトリン、シハロトリン、エトフェンプロックス、トラロメスリン、エムペントリン、テフラメトリン、テラレトリン、トランスフルスリン、エミネンス、プロフルトリン等のピレスロイド系防虫剤、エトフェンプロックス、Ｎ，Ｎ−ジメチル−ｍ−トルアミド等が挙げられ、これらの一種若しくは二種以上を混合して用いることもできる。これらの内、２５℃における蒸気圧が１０−４ｍｍＨｇ未満の防虫剤を用いることが好ましい。
【００３７】
また、前記香料としては、植物性香料、動物性香料、合成香料若しくはこれらを調合した調合香料を用いることができる。
【００３８】
さらに、防カビ剤、抗菌剤としては、チモール、α−ブロムシンナミックアルデヒド、パラクロロメタキシレノール、オルトフェニルフェノール、３−ヨード−２−プロピルブチルカーバメート、Ｎ−（フルオロジクロロメチルチオ）−フタルイミド、Ｎ−ジクロロフルオロメチルチオ−Ｎ’，Ｎ’−ジメチル−Ｎ−フェニルスルファミド等の一種若しくは二種以上を混合して用いることができる。
【００３９】
他の消臭剤としては、植物抽出物、フラボノイド等が挙げられる。
【００４０】
これらの機能性薬剤を含浸させる方法は、上記機能性薬剤をそそまま、若しくは、樹脂、バインダー、溶剤等に溶解後、印刷、含浸、浸漬、スプレー塗布、滴下等、従来公知の方法で行うことができる。
【００４１】
そして、圧着工程Ｓ４において、前記消臭・脱臭剤２１，・・・及び前記バインダー２２を挟んだ前記基材シート１と前記被覆シート３１とを、圧着ローラ５１，５１間に通し、両圧着ローラ５１，５１からの圧力を両面から加えることによって圧着する。
【００４２】
これにより、前記基材シート１１と前記被覆シート３１との間に、前記バインダー２２によって前記消臭・脱臭剤２１，・・・が挟まれた状態で坦持された前記脱臭シート１が形成され、この脱臭シート１を巻き取りローラ６１によって巻き取る。
【００４３】
以上の構成にかかる本実施の形態において、前述した製造方法で製造される前記脱臭シート１の前記基材シート１１は、散布されたバインダー２２が溶融するまで加熱ヒーター４１で加熱されるが、当該基材シート１１に積層される前記被覆シート３１は、圧着によって前記基材シート１１に接合される。このため、当該被覆シート３１は、加熱されず、耐熱性の素材で構成する必要がなくなる。
【００４４】
このため、基材シート１１と被覆シート３１とを熱圧着する製法上、両シート１１，３１を高い耐熱性を有する素材で構成しなければならなかった従来と比較して、素材の選択幅を広げることができる。
【００４５】
そして、前記基材シート１１と前記被覆シート３１とを、溶融された前記バインダー２２によって接合することができる。このため、両シート１１，３１を熱圧着する場合のように、各シート１１，３１が樹脂化して、例えば硬化する等の恐れも無い。これにより、両シート１１，３１の風合いを維持することができ、製造された脱臭シート１の品質を高めることができる。
【００４６】
さらに、接合時に各シート１１，３１が樹脂化してしまう従来と比較して、各シート１１，３１の目詰まりを防止することができ、通気性を確保することができる。これにより、坦持された消臭・脱臭剤２１，・・・による脱臭効果を十分に発揮することができる。
【００４７】
このように、本実施の形態の脱臭シート１の製造方法にあっては、前記基材シート１１と前記被覆シート３１との熱圧着を廃止することができる。これにより、この熱圧着に起因して発生し得る不具合を解消することができる。
【００４８】
また、防虫剤や香料等の機能性薬剤を予め含浸させた被覆シート３１を用いた場合であっても、製造工程中で前記機能性薬剤が揮散、分解、変質してしまう虞がなく、また、消臭脱臭薬剤の消臭脱臭機能を損なうことなく、防虫機能や芳香機能等の機能を併せ持った脱臭シート１を製造することができる。
【００４９】
以上のように作成した脱臭シート１は、そのまま、任意の大きさに裁断して、台所、たんすの引き出し、衣装ケース、食器棚等に設置したり、袋状、洋服カバー、巾着等の形状にすることもできる。また、空気清浄機や換気扇、エアダクト等のフィルターとしても利用できる物である。
【００５０】
図３は、その応用例を示す図であり、前記脱臭シート１を用いた衣類カバー１０１が示されている。
【００５１】
この衣類カバー１０１は、ハンガー１１１に掛けた衣類１１２を覆って保管する際に使用するものであり、保管中に衣類１１２を害虫から保護するとともに、当該衣類１１２に付いた臭いを消臭できるように構成されている。
【００５２】
この衣類カバー１０１のカバー本体１２１は、図３の（ｂ）にも示すように、当該カバー本体１２１で衣類１１２を覆った状態で、該衣類１１２の正面側を覆う正面部１２２と、前記衣類１１２の背面側を覆う背面部１２３と、前記衣類１１２の側面側を覆う襠部１２４，１２４とによって袋状に形成されている。
【００５３】
前記正面部１２２は、消臭素材からなる前述した脱臭シート１で構成されており、前記背面部１２３は、防虫素材からなる防虫シート１３１で構成されている。これにより、前記カバー本体１２１の異なる部位である前記正面部１２２と前記背面部１２３とは、異なる素材で構成されている。
【００５４】
前記背面部１２３を構成する前記防虫シート１３１は、長方形状に形成されており、その上縁は、左縁及び右縁より当該防虫シート１３１の中心部へ向かうに従って上方に傾斜した後、上方へ延出するように形成されている。これにより、この防虫シート１３１の上端部は、中央部が上方へ突出した山形に形成されている。そして、この防虫シート１３１の左右の側縁には、透明フィルム１３２，１３２が上端から下端までの全域に渡って接合されている。
【００５５】
前記正面部１２２を構成する前記脱臭シート１は、前記防虫シート１３１より横幅の狭い長方形状に形成されており、その上縁は、左縁及び右縁より当該脱臭シート１の中心部へ向かうに従って上方に傾斜した後、上方へ延出するように形成されている。これにより、この脱臭シート１の上端部も、中央部が上方へ突出した山形に形成されている。
【００５６】
山形に形成された前記防虫シート１３１上縁は、図３の（ａ）に示したように、左右の傾斜部分が前記脱臭シート１上縁の傾斜部分に接合されており、前記カバー本体１２１の上縁には、左側縁及び右側縁より当該カバー本体１２１の中心へ向かうに従って上方に傾斜した傾斜部１４１，１４１が形成されている。前記防虫シート１３１は、上縁において上方へ延出した延出部分の縁部が、前記脱臭シート１上縁において上方へ延出した延出部分の縁部に接合されており、前記カバー本体１２１の上縁には、前記両傾斜部１４１，１４１より上方へ延出した上方延出部１４２，１４２が形成されている。
【００５７】
そして、前記カバー本体１２１の上縁中央部には、前記両上方延出部１４２，１４２を結ぶ水平部１５１が形成されており、この水平部１５１を構成する前記脱臭シート１の縁部及び前記防虫シート１３１の縁部は、接合されておらず、上方へ向けて開口した挿通部１５２が形成されている。これにより、当該カバー本体１２１に収容された前記ハンガー１１１のフック１５３を前記挿通部１５２から延出できるように構成されており、当該カバー本体１２１で覆われた衣類１１２をハンガー１１１に掛けた状態で、クローゼットやオープン収納ハンガーのパイプなどに吊り下げて保管できるように構成されている。
【００５８】
前記防虫シート１３１の側縁に接合された前記各透明フィルム１３２，１３２は、正面側へ折り返されており、前記防虫シート１３１の側縁と前記各透明フィルム１３２，１３２が接合された接合部１６１，１６１は、当該カバー本体１２１の内側へ向けて谷折りされている。この谷折り状態において、各透明フィルム１３２，１３２の上縁と前記防虫シート１３１，１３１の上縁とが接合されており、前記カバー本体１２１には、収容した衣類１１２の厚み方向に展開して該衣類１１２の側面側を覆う前記襠部１２４，１２４が形成されている。
【００５９】
この襠部１２４，１２４は、前記接合部１６１，１６１より正面側の部分が前記透明フィルム１３２，１３２で構成されており、上下に延在する襠部１２４，１２４には、その長さ方向に延設された前記透明フィルム１３２，１３２によって覗き窓１７１，１７１が形成されている。
【００６０】
前記脱臭シート１の幅寸法は、正面側に折り返された前記透明フィルム１３２，１３２の側縁部に重なる長さに設定されており、当該脱臭シート１は、重なった状態で各透明フィルム１３２，１３２の外側に配置されるように構成されている。前記脱臭シート１の側縁と前記透明フィルム１３２，１３２とは、接合されており、当該カバー本体１２１の下部開口部から衣類１１２を出し入れできるように構成されている。
【００６１】
これにより、前記脱臭シート１と前記防虫シート１３１とで異なる部位を構成するによって、前記脱臭シート１による消臭脱臭機能を損なうことなく、前記防虫シート１３１による防虫機能を得ることができる。
【図面の簡単な説明】
【００６２】
【図１】本発明の一実施の形態の脱臭シートの製造方法を示す説明図である。
【図２】同実施の形態の脱臭シートを要部を示す拡大図である。
【図３】同実施の形態の衣類カバーを示す図で、（ａ）は正面図であり、（ｂ）は（ａ）のＡ−Ａ断面図である。
【図４】従来の脱臭シートの製造方法を示す説明図である。
【符号の説明】
【００６３】
１    脱臭シート
１１    基材シート
２１    消臭・脱臭剤
２２    バインダー
３１    被覆シート
４１    加熱ヒーター
５１    圧着ローラ
１０１    衣類カバー
【図１】
2009000213.tif 000003
【図２】
2009000213.tif 000004
【図３】
2009000213.tif 000005
【図４】
2009000213.tif 000006